(57)【要約】【課題】表チャンネルの視聴中であっても、リアルタイムに受信可能な裏のチャンネル情報を、利用者を煩わせることなく確実に取得すること。【解決手段】放送局からの放送波を受信する放送受信装置は、視聴中の表チャンネルと、表チャンネル以外のチャンネルを切り替えつつ選択した１つの裏チャンネルとを並行して受信し、受信に成功した裏チャンネルのリストを示すチャンネルリストを記憶し、チャンネルリストに含まれる裏チャンネルの受信を実行させ、受信に成功した裏チャンネルを受信可能チャンネルとして抽出し、抽出された受信可能チャンネルを報知するように構成する。【選択図】図３
2012070184.tif 000002
【特許請求の範囲】
【請求項１】
放送波を受信する放送受信装置であって、
視聴中の表チャンネルと、前記表チャンネル以外の裏チャンネルとを並行して受信する受信手段と、
前記受信手段が受信に成功した前記裏チャンネルのチャンネルリストを記憶するチャンネルリスト記憶手段と、
前記チャンネルリストに含まれる前記裏チャンネルの受信を前記受信手段に実行させ、受信に成功した前記裏チャンネルを受信可能チャンネルとして抽出する抽出手段と、
前記抽出手段によって抽出された前記受信可能チャンネルを報知する報知手段と
を備えたことを特徴とする放送受信装置。
【請求項２】
前記抽出手段は、
前記受信手段による前記表チャンネルの受信状態が所定の閾値よりも悪化した場合に、前記チャンネルリストに含まれる前記裏チャンネルの受信を前記受信手段に実行させることを特徴とする請求項１に記載の放送受信装置。
【請求項３】
前記抽出手段は、
前記受信手段が受信中の前記表チャンネルについてコマーシャル開始または番組終了が検知された場合に、前記チャンネルリストに含まれる前記裏チャンネルの受信を前記受信手段に実行させることを特徴とする請求項１または２に記載の放送受信装置。
【請求項４】
前記受信手段は、
複数のアンテナにそれぞれ対応する系列信号を合成する合成手段
をさらに備え、
前記合成手段は、
１つ以上の任意の個数の前記系統信号を前記表チャンネルへ割り当てるとともに、その他の前記系統信号を前記裏チャンネルへ割り当てることを特徴とする請求項１、２または３に記載の放送受信装置。
【請求項５】
前記報知手段は、
前記表チャンネルを表示する表示部へ重畳させて前記受信可能チャンネルを表示させることによって前記受信可能チャンネルを報知することを特徴とする請求項１〜４のいずれか一つに記載の放送受信装置。
【発明の詳細な説明】
【技術分野】
【０００１】
この発明は、放送の信号を受信する放送受信装置に関し、特に、デジタル放送受信装置に関するものである。また、特に、チャンネルの視聴中であっても、リアルタイムに受信可能な別のチャンネル情報を、利用者を煩わせることなく取得することができる放送受信装置に関する。
【背景技術】
【０００２】
従来、放送局から送信されるデジタル放送の信号を受信するデジタル放送受信装置が知られている。
【０００３】
しかし、車両等の移動体に搭載されたデジタル放送受信装置やデジタル放送受信装置を持って移動する場合には、デジタル放送の視聴中に受信状態の悪化によって画像や音声に乱れが生じてチャンネルの視聴が困難になってしまうことがある。
【０００４】
このような問題を解決する技術として、特許文献１には、所定のチャンネルを視聴中に受信状態が悪化した場合、視聴中のチャンネルと系列局である放送局からチャンネル情報を受信することによって、視聴中のチャンネルと同一のチャンネルへ切換えるデジタル放送受信装置が開示されている。
【０００５】
また、特許文献２には、所定のチャンネルを視聴中に受信状態が悪化した場合、チャンネル放送の予定情報に視聴が困難になったチャンネルの再放送があるか否かを検索し、かかるチャンネルの再放送があるならば利用者に対して通知するデジタル放送受信装置が開示されている。
【先行技術文献】
【特許文献】
【０００６】
【特許文献１】特開２００９−５０４８号公報
【特許文献２】特開２００６−１３９９５号公報
【発明の概要】
【発明が解決しようとする課題】
【０００７】
しかしながら、特許文献１に記載のデジタル放送受信装置は、受信状態が悪化してから受信可能な視聴中のチャンネルと系列局である放送局を検索していたので、利用者にとって視聴できない時間が長引いてしまうという問題があった。また、受信可能な放送局が検索された後、実際に放送波を受信する段階で、放送波の受信状態が悪化しているおそれがあった。
【０００８】
また、車両等の移動体に搭載されたデジタル放送受信装置は、移動中に受信可能なチャンネルが時々刻々と変化する。このため、移動体に搭載されるデジタル放送受信装置は、チャンネルを視聴中に受信状態が悪化してチャンネルが視聴できなくなるといった状況が頻繁に起こりえる。
【０００９】
したがって、特許文献２に記載のデジタル放送受信装置は、視聴中に受信状態が悪化するたびに利用者は受信可能な別のチャンネル情報を手動で検索しなくてはならず、利用者に対して非常に煩わしい操作を強いることとなる。
【００１０】
これらのことから、チャンネルの視聴中であっても、リアルタイムに受信可能な別のチャンネル情報を、利用者を煩わせることなく、また、確実に取得することができる放送受信装置をいかにして実現するかが大きな課題となっている。
【００１１】
この発明は、上述した従来技術による問題点を解消するためになされたものであり、チャンネルの視聴中であっても、リアルタイムに受信可能な別のチャンネル情報を、利用者を煩わせることなく、かつ確実に取得することができる放送受信装置を提供することを目的とする。
【課題を解決するための手段】
【００１２】
上述した課題を解決し、目的を達成するため、本発明は、放送波を受信する放送受信装置であって、視聴中の表チャンネルと、前記表チャンネル以外の裏チャンネルとを並行して受信する受信手段と、前記受信手段が受信に成功した前記裏チャンネルのチャンネルリストを記憶するチャンネルリスト記憶手段と、前記チャンネルリストに含まれる前記裏チャンネルの受信を前記受信手段に実行させ、受信に成功した前記裏チャンネルを受信可能チャンネルとして抽出する抽出手段と、前記抽出手段によって抽出された前記受信可能チャンネルを報知する報知手段とを備えたことを特徴とする。
【発明の効果】
【００１３】
本発明によれば、放送波を受信する放送受信装置であって、視聴中の表チャンネルと、表チャンネル以外の裏チャンネルとを並行して受信し、受信に成功した裏チャンネルのチャンネルリストを記憶し、チャンネルリストに含まれる裏チャンネルの受信を実行させ、受信に成功した裏チャンネルを受信可能チャンネルとして抽出し、抽出された受信可能チャンネルを報知することとしたので、チャンネルの視聴中であっても、リアルタイムに受信可能な別のチャンネル情報を、利用者を煩わせることなく確実に取得することができるという効果を奏する。
【図面の簡単な説明】
【００１４】
【図１】図１は、本実施例に係るデジタル放送受信装置の概要を示す図である。
【図２】図２は、本実施例に係るデジタル放送受信装置の構成を示すブロック図その１である。
【図３】図３は、本実施例に係るデジタル放送受信装置の構成を示すブロック図その２である。
【図４】図４は、チャンネルリストの一例を示す図である。
【図５】図５は、学習情報の一例を示す図である。
【図６】図６は、合成手法の一例を示す図である。
【図７】図７は、タイミング判定処理を説明するための図である。
【図８】図８は、報知画面の一例を示す図である。
【図９】図９は、チャンネルリストの遷移を示す図である。
【図１０】図１０は、復調部が実行する信号受信処理手順の概要を示すフローチャートである。
【図１１】図１１は、制御部が実行する表ＣＨ受信処理手順の概要を示すフローチャートである。
【図１２】図１２は、制御部が実行する裏ＣＨ受信処理手順の概要を示すフローチャートである。
【発明を実施するための形態】
【実施例】
【００１５】
以下に、添付図面を参照して、本発明に係るデジタル放送受信装置の好適な実施例を詳細に説明する。なお、以下では、本発明に係るデジタル放送受信装置の概要について図１を用いて説明した後に、本発明に係るデジタル放送受信装置についての実施例を図２〜図７を用いて説明することとする。なお、本実施例においては、デジタル放送受信装置について記載しているが、これは一例であり、アナログ放送受信装置に適用できることは勿論である。
【００１６】
まず、本発明に係るデジタル放送受信装置の概要について図１を用いて説明する。図１は、本発明に係るデジタル放送受信装置の概要を示す図である。なお、本実施例では、車両に搭載されるデジタル放送受信装置に適用する場合について説明するが、デジタル放送受信機能付き携帯電話端末についても適用することができる。
【００１７】
従来のデジタル放送受信装置は、チャンネルを視聴中に受信状態が悪化してチャンネルが視聴できなくなってから初めて別の受信可能なチャンネルを検索しなければならない。また、実際に検索されたチャンネルを受信する段階で、検索先のチャンネルの受信状態が悪化していることが十分に考えられる。さらに、従来のデジタル放送受信装置によると、利用者は別のチャンネル情報を手動で検索しなくてはならず、視聴できない時間が長引いてしまうだけでなく、利用者に対して非常に煩わしい操作を強いることとなる。
【００１８】
なお、チャンネル情報とは、放送局から無線送信されるＴＳ（Transport  Stream）信号に含まれるチャンネルを一意に特定するための情報であり、たとえば、チャンネル番号、番組名、開始時刻、終了時刻を示す。
【００１９】
そこで、本発明に係るデジタル放送受信装置は、表チャンネルの視聴中に受信可能である裏のチャンネル情報を取得して記憶しておき、所定のタイミングで裏のチャンネル情報を報知するようにした点に特徴がある。また、取得した裏チャンネルリストのチャンネルが受信可能か否かを判定し、受信に成功したチャンネルを報知する点に特徴がある。
【００２０】
具体的には、図１に示すように、本発明に係るデジタル放送受信装置は、複数のアンテナを備えており、複数のアンテナによって受信される複数のデジタル放送の信号を、一つのチャンネルとして合成する（以下、「ダイバーシティ」と記載する）。なお、ダイバーシティ方式では、複数のアンテナで受信した信号を合成してノイズを除去したりすることによって、受信した信号の質や信頼性の向上を図ることができる。
【００２１】
そして、本発明に係るデジタル放送受信装置では、ダイバーシティ方式による合成の仕方を変更することによって複数のチャンネルを同時に複数受信できるよう構成することとした。ここでは、表裏二つのチャンネルを同時に受信するデジタル放送受信装置について説明するが、三つ以上のチャンネルが受信できることとしてもよい。
【００２２】
本発明に係るデジタル放送受信装置の受信部は、たとえば、チャンネル（以下、「ＣＨ」と記載する）１を表のチャンネルとして受信し（図１の（１）参照）、また同時にＣＨ１以外のチャンネルについて裏のチャンネル情報として受信する（図１の（２）参照）。
【００２３】
具体的には、本発明に係るデジタル放送受信装置は、定期的にＣＨ１以外のチャンネル（ＣＨ２、ＣＨ３…）について順次受信可能であるか否かを判定し、受信可能であるチャンネル情報を裏のチャンネル情報として受信する。そして、本発明に係るデジタル放送受信装置は、表のチャンネルとして受信したＣＨ１の映像をディスプレイへ表示し、音声をスピーカへ出力する（図１の（３）参照）。
【００２４】
なお、車両に搭載されるデジタル放送受信装置は、車両が移動するとともに各チャンネルの放送局から送信される信号の受信状態も変化するため、受信可能なチャンネルが固定化されていない。
【００２５】
したがって、本発明に係るデジタル放送受信装置は、裏のチャンネル情報として受信したチャンネル情報に基づいて定期的にチャンネルリストを作成しておく（図１の（４）参照）。ここでは、ＣＨ１以外のチャンネルのうち、ＣＨ３、ＣＨ４、および、ＣＨ６が受信可能であった場合について示した。
【００２６】
その後、本発明に係るデジタル放送受信装置は、所定のタイミング、たとえば、表のチャンネルを視聴中に受信状態が悪化した場合に、チャンネルリストをディスプレイへ表示する（図１の（５）参照）。なお、本発明に係るデジタル放送受信装置では、チャンネルリストに含まれるチャンネルが受信可能か否かを再度確認した後、受信可能であるチャンネルのチャンネルリストをディスプレイへ表示することとする。
【００２７】
これにより、ＣＨ１のチャンネルの受信状態が悪化して視聴ができなくなった利用者は、受信可能な裏のチャンネル情報の一覧を視認することができる。なお、チャンネルリストをディスプレイへ表示することとしたが、音声等によってチャンネルリストを利用者へ報知することとしてもよい。
【００２８】
また、チャンネルリストを利用者に対して報知するタイミングは、利用者が裏のチャンネルへ変更しようとする時間でもよく、表のチャンネルの番組終了時刻直前であったり、コマーシャルの開始時であってもよい。さらに、表のチャンネルの視聴中に常時チャンネルリストを表示しておくこととしてもよい。
【００２９】
また、本発明に係るデジタル放送受信装置は、指やポインティングデバイスなどの押圧感知により入力を受け付け、かつ表示出力も兼ねるタッチパネル式の液晶ディスプレイを備えることとしてもよい。
【００３０】
この場合、本発明に係るデジタル放送受信装置は、かかるディスプレイへ表示したチャンネルリストに含まれる所定のチャンネルへのタッチを検知して、チャンネルの選局操作を受け付ける。
【００３１】
このように、本発明に係るデジタル放送受信装置は、複数のアンテナによって受信された複数の信号を合成したデジタル放送のチャンネルを同時に複数受信することとした。具体的には、本発明に係るデジタル放送受信装置は、視聴用として表のチャンネルを受信し、受信可能なチャンネルの一覧を定期的に作成するために裏のチャンネルのチャンネル情報を受信する。
【００３２】
そして、本発明に係るデジタル放送受信装置は、利用者が所望するチャンネル変更のタイミングを検知して、かかるタイミングにチャンネルリストのチャンネルが受信可能か否かを再度確認した後、受信可能であるチャンネルのチャンネルリストを報知する。これにより、本発明に係るデジタル放送受信装置は、チャンネルの視聴中であっても、リアルタイムに受信可能な裏のチャンネル情報を、利用者を煩わせることなく確実に取得することができる。
【００３３】
以下では、図１を用いて説明した本発明に係るデジタル放送受信装置１０についての実施例を詳細に説明する。まず、本実施例に係るデジタル放送受信装置１０の構成について図２および図３を用いて説明する。
【００３４】
図２は、本実施例に係るデジタル放送受信装置１０の構成を示すブロック図その１であり、図３は、本実施例に係るデジタル放送受信装置１０の構成を示すブロック図その２である。なお、図２および図３では、デジタル放送受信装置１０の特徴点を説明するために必要な構成要素についてのみ記載している。
【００３５】
図２に示すように、デジタル放送受信装置１０は、復調部１１と、スピーカ１２と、ディスプレイ１３と、記憶部１４と、制御部１５とを備えている。また、復調部１１は、ＲＦ（Radio  Frequency：無線周波数）／ＩＦ（インターフェース）１１１ａ、１１２ａ、１１３ａ、１１４ａと、変換部１１１ｂ、１１２ｂ、１１３ｂ、１１４ｂと、合成部１１１ｃと、誤り訂正部１１１ｄ、１１３ｄとをさらに備えている。
【００３６】
ＲＦ／ＩＦ１１１ａ〜１１４ａは、各放送局から送信されるデジタル放送の信号を受信するアンテナに接続されており、無線通信を行うための通信デバイスで構成されている。変換部１１１ｂ〜１１４ｂは、ＲＦ／ＩＦ１１１ａ〜１１４ａで受信した信号をＦＦＴ（Fast  Fourier  Transform：高速フーリエ変換）等によって最適な電気信号に変換する。
【００３７】
合成部１１１ｃは、変換部１１１ｂ〜１１４ｂによって変換された電気信号を、記憶部１４に記憶される設定情報に従って合成して、所定のチャンネルへと出力する。なお、記憶部１４に記憶される設定情報は、変更することができる。
【００３８】
ここでは、ＲＦ／ＩＦ１１１ａおよびＲＦ／ＩＦ１１２ａを介して受信した信号を合成して表のチャンネルとし、ＲＦ／ＩＦ１１３ａおよびＲＦ／ＩＦ１１４ａを介して受信した信号を合成して裏チャンネルとするよう記憶部１４に設定されている場合について説明する。
【００３９】
この場合、合成部１１１ｃでは、ＲＦ／ＩＦ１１１ａおよびＲＦ／ＩＦ１１２ａを介して受信した信号を合成し、表チャンネル（以下、「表ＣＨ」と記載する）として誤り訂正部１１１ｄへ渡す。
【００４０】
また、合成部１１１ｃでは、ＲＦ／ＩＦ１１３ａおよびＲＦ／ＩＦ１１４ａを介して受信した信号を合成し、裏チャンネル（以下、「裏ＣＨ」と記載する）として誤り訂正部１１３ｄへ渡す。
【００４１】
誤り訂正部１１１ｄおよび誤り訂正部１１３ｄは、合成部１１１ｃによって合成された電気信号をＦＥＣ（Forward  Error  Correction：前方誤り訂正）手法によって誤りを検出して訂正する。
【００４２】
つづいて、制御部１５が実行する処理の詳細について図３を用いて説明する。図３に示すように、制御部１５は、表ＣＨ受信指示部１５ａと、裏ＣＨ受信指示部１５ｂと、表ＣＨ表示部１５ｃと、タイミング判定部１５ｄと、再確認部１５ｅと、リスト報知部１５ｆと、リスト作成部１５ｇとを備えている。
【００４３】
スピーカ１２は、復調部１１によって復調された表ＣＨの音声を出力する出力部である。ディスプレイ１３は、復調部１１によって復調された表ＣＨの映像を表示したり、所定のタイミングで受信可能な裏ＣＨのチャンネルリスト１４ａを表示する表示部である。
【００４４】
なお、スピーカ１２やディスプレイ１３の表示や音声出力を行う構成部品を限定する必要はない。したがって、指やポインティングデバイスなどの押圧感知により入力を受け付け、かつ表示出力も兼ねるタッチパネル式の液晶ディスプレイなどを用いることとしてもよい。
【００４５】
そして、デジタル放送受信装置１０は、ディスプレイ１３へ表示された受信可能な裏ＣＨのチャンネルリスト１４ａの中から、利用者の所望するチャンネルがタッチされたことを検知して、かかるチャンネルの選局操作を受け付けることとしてもよい。
【００４６】
記憶部１４は、不揮発性メモリやハードディスクドライブといった記憶デバイスで構成される記憶部である。この記憶部１４は、デジタル放送受信装置１０が受信可能な裏ＣＨのチャンネル情報をチャンネルリスト１４ａとして記憶する。
【００４７】
また、記憶部１４は、スピーカ１２やディスプレイ１３へ出力する表ＣＨの選局情報を学習情報１４ｂとして記憶する。なお、チャンネルリスト１４ａおよび学習情報１４ｂの詳細については後述することとする。さらに、記憶部１４は、図示しないが、合成部１１１ｃで行われる合成についての設定情報を記憶する。
【００４８】
制御部１５は、デジタル放送受信装置１０の全体制御を行う制御部である。表ＣＨ受信指示部１５ａは、表ＣＨを受信するよう復調部１１へ指示し、誤り訂正部１１１ｄから表ＣＨを受信する処理を行う処理部である。
【００４９】
また、表ＣＨ受信指示部１５ａは、受信した表ＣＨを表ＣＨ表示部１５ｃおよびタイミング判定部１５ｄへ渡す処理を併せて行う。さらに、表ＣＨ受信指示部１５ａは、表ＣＨの変更があった場合に、表ＣＨの選局情報を学習情報１４ｂとして記憶させる処理を併せて行う。
【００５０】
裏ＣＨ受信指示部１５ｂは、表ＣＨ以外のすべてのチャンネルについて裏ＣＨのチャンネル情報を受信するよう復調部１１へ指示し、受信可能な裏ＣＨのチャンネル情報を誤り訂正部１１３ｄから受信する処理を行う処理部である。また、裏ＣＨ受信指示部１５ｂは、受信した裏ＣＨのチャンネル情報をリスト作成部１５ｇへ渡す処理を併せて行う。なお、受信可能な裏ＣＨのチャンネル情報をＲＦ／ＩＦ１１３ａ〜ＲＦ／ＩＦ１１４ａから取得する構成とすることも可能である。この場合、早期にチャンネルの有無を検出することができるという効果がある。
【００５１】
表ＣＨ表示部１５ｃは、表ＣＨ受信指示部１５ａから受け付けた電気信号に含まれるＰＩＤ（パケット識別子）に基づいて音声パケットと映像パケットとを抽出し、復号化してスピーカ１２およびディスプレイ１３へ出力する処理を行う処理部である。
【００５２】
なお、放送局から無線送信されるＴＳ（Transport  Stream）信号は、所定の大きさに分割されるパケットで構成されており、各パケットには、ＰＩＤと呼ばれるパケットを識別する情報が含まれている。
【００５３】
タイミング判定部１５ｄは、表ＣＨ受信指示部１５ａから受け付けた電気信号に含まれるチャンネル情報等に基づいてチャンネルリスト１４ａを報知するタイミングであるか否かの判定処理を行う処理部である。そして、タイミング判定部１５ｄは、チャンネルリスト１４ａを報知するタイミングであると判定した場合、その旨を再確認部１５ｅへ通知する処理を併せて行う。
【００５４】
たとえば、タイミング判定部１５ｄでは、表ＣＨの受信状態が悪化したと判定した場合、チャンネルリスト１４ａを報知するタイミングとする。具体的には、タイミング判定部１５ｄは、表ＣＨ受信指示部１５ａから受け付けた電気信号のＣ／Ｎ（Carrier  to  Noise  ratio：搬送波対雑音比）が所定の閾値よりも小さい場合に、表ＣＨの受信状態が悪化したと判定する。
【００５５】
一方、タイミング判定部１５ｄは、すべてのチャンネルの受信が不可となったと判定した場合には、チャンネルリスト１４ａを報知しないこととする。具体的には、タイミング判定部１５ｄは、すべてのＲＦ／ＩＦ１１１ａ〜１１４ａから受信信号を受け付けなくなった場合に、すべてのチャンネルの受信が不可となったと判定する。
【００５６】
あるいは、タイミング判定部１５ｄは、デジタル放送受信装置１０がカーナビゲーション機能を有する場合、ＧＰＳ（Global  Positioning  System）から受信した自車両の位置情報や地図情報に基づいて、たとえば、自車両がトンネル内を走行中であることを検知して、すべてのチャンネルの受信が不可となったと判定することとしてもよい。
【００５７】
また、タイミング判定部１５ｄは、利用者が裏のチャンネルへ変更しようとする時間を報知するタイミングとする。したがって、タイミング判定部１５ｄは、表ＣＨの番組終了時刻の直前およびコマーシャルの開始時を検知することによってチャンネルリスト１４ａを報知するタイミングであると判定する。
【００５８】
具体的には、タイミング判定部１５ｄは、表ＣＨの番組終了時刻を検知する際、表ＣＨ受信指示部１５ａから受け付けた電気信号に含まれるチャンネル情報に基づいて検知したり、また、ＰＩＤ値の変化があった位置や出力する音声の平均的な音量の差が大きい位置によって検知する。
【００５９】
なお、チャンネルリスト１４ａを報知するタイミングの判定は、他の手法を用いることとしてもよい。また、表ＣＨを出力している間は常にチャンネルリスト１４ａを表示してもよく、タイミング判定部１５ｄでは定期的に再確認部１５ｅへ通知することとしてもよい。
【００６０】
再確認部１５ｅは、タイミング判定部１５ｄからチャンネルリスト１４ａを報知するタイミングである旨を受け付けたならば、チャンネルリスト１４ａに含まれる裏ＣＨが受信可能か否かを再確認する処理を行う処理部である。そして、再確認部１５ｅは、受信可能であることが再確認された裏ＣＨのチャンネルリスト１４ａを表示用のチャンネルリストとしてリスト報知部１５ｆへ渡す処理を併せて行う。
【００６１】
リスト報知部１５ｆは、再確認部１５ｅから表示用のチャンネルリストを受け付けたならば、ディスプレイ１３へ表示用のチャンネルリストを表示する処理を行う処理部である。ここで、リスト報知部１５ｆは、学習情報１４ｂに基づいて表示用のチャンネルリストの表示順を利用者の選局頻度順になるように表示してもよい。また、表示用のチャンネルリストの裏ＣＨが所定数を超えていた場合には、学習情報１４ｂに基づいて選局頻度の高いジャンルや番組名を抽出して表示することとしてもよい。
【００６２】
リスト作成部１５ｇは、裏ＣＨ受信指示部１５ｂから受け付けた裏ＣＨのチャンネル情報に基づいてチャンネルリスト１４ａを定期的に作成または更新する処理を行う処理部である。
【００６３】
つぎに、記憶部１４に記憶されるチャンネルリスト１４ａおよび学習情報１４ｂの詳細について図４および図５を用いて説明する。図４は、チャンネルリスト１４ａの一例を示す図であり、図５は、学習情報１４ｂの一例を示す図である。
【００６４】
まず、図４に示すように、チャンネルリスト１４ａは、「チャンネル番号」項目と、「開始時刻」項目と、「終了時刻」項目と、「番組名」項目と、「ジャンル」項目とを含んでいる。チャンネルリスト１４ａは、デジタル放送受信装置１０が受信可能な裏ＣＨのチャンネル情報であり、「チャンネル番号」項目に格納されるチャンネルに対応して、「開始時刻」項目、「終了時刻」項目、「番組名」項目、および、「ジャンル」項目が格納される。
【００６５】
裏ＣＨ受信指示部１５ｂは、表ＣＨ以外のすべてのチャンネルについて定期的に裏ＣＨのチャンネル情報を誤り訂正部１１３ｄから受信して、受信したチャンネル情報に基づいてチャンネルリスト１４ａを更新する。
【００６６】
具体的には、裏ＣＨ受信指示部１５ｂは、表ＣＨ以外のすべてのチャンネルについて順次裏ＣＨのチャンネル情報を誤り訂正部１１３ｄから受信可能か否かを受信する。そして、リスト作成部１５ｇでは、裏ＣＨ受信指示部１５ｂから所定の裏ＣＨが受信可能であると受信し、かつ、チャンネルリスト１４ａに未登録であった場合に、かかる裏ＣＨのチャンネルリスト１４ａを登録する。
【００６７】
一方、リスト作成部１５ｇでは、裏ＣＨ受信指示部１５ｂから所定の裏ＣＨが受信不可であり、かつ、チャンネルリスト１４ａに登録されていた場合、チャンネルリスト１４ａからかかる裏ＣＨのチャンネルリスト１４ａを削除する。
【００６８】
つづいて、図５に示すように、学習情報１４ｂは、「チャンネル番号」項目と、「番組名」項目と、「ジャンル」項目と、「頻度」項目とを含んでいる。学習情報１４ｂは、「チャンネル番号」項目に格納されるチャンネルに対応して、「番組名」項目および「ジャンル」項目ごとに、利用者によってかかるチャンネルが選局された「頻度」項目が格納される。
【００６９】
なお、学習情報１４ｂは、「番組名」および「ジャンル」ごとに、頻度が格納されることとしたが、「ジャンル」ごとに頻度が設定されてもよいし、「番組名」および「ジャンル」ごとに、選局された頻度ではなく視聴時間が格納されることとしてもよい。
【００７０】
学習情報１４ｂは、リスト報知部１５ｆによって再確認部１５ｅから受け付けた表示用のチャンネルリストをディスプレイ１３へ表示させる際に、表示用のチャンネルリストから抽出する際や、表示順を決定する際に使用される。
【００７１】
つぎに、復調部１１が実行する信号の合成処理の詳細について図６を用いて説明する。図６は、合成手法の一例を示す図である。
【００７２】
合成機能を有する復調部１１では、図６の（Ａ）および（Ｂ）に示すように、配線を備えておくことによって、記憶部１４に記憶される設定情報に従って電気信号を合成して、所定のチャンネルを出力することができる。
【００７３】
たとえば、図６の（Ａ）には、アンテナ１〜４から受信した信号を、それぞれ信号１〜４として、信号１および信号２を合成して出力１へ、信号３および信号４を合成して出力２へ出力するよう設定情報に設定されている場合について示した。
【００７４】
また、図６の（Ｂ）には、アンテナ１〜４から受信した信号を、それぞれ信号１〜４として、信号１、信号２および信号３を合成して出力１へ、信号４を出力２へ出力するよう設定情報に設定されている場合について示した。このように、記憶部１４に記憶される設定情報によって、合成する信号および合成された信号の出力先を切り替えることができる。
【００７５】
つぎに、タイミング判定部１５ｄが行うチャンネルリスト１４ａを報知するタイミングの判定処理の詳細について図７を用いて説明する。図７は、タイミング判定処理を説明するための図である。図７の（Ａ）では、表ＣＨの受信状態が悪化した場合について説明し、図７の（Ｂ）では、すべてのチャンネルの受信が不可となった場合について説明する。
【００７６】
まず、図７の（Ａ）に示すように点線の三角形で囲まれた部分がＣＨ１の放送局から送信される信号の受信可能エリアである場合について説明する。ＣＨ１が選局されているデジタル放送受信装置１０を搭載した車両１が受信可能エリア内の地点αを走行中の場合、表ＣＨ表示部１５ｃは、ディスプレイ１３へＣＨ１の映像を表示する。
【００７７】
また、車両１が地点βを走行中の場合には、タイミング判定部１５ｄは、表ＣＨであるＣＨ１の受信状態が悪化したと判定して、再確認部１５ｅは、チャンネルリスト１４ａに含まれる裏ＣＨが受信可能か否かを再確認する。その後、リスト報知部１５ｆは、ディスプレイ１３へ、再確認された受信可能な裏ＣＨの表示用のチャンネルリスト、ここでは、「ＣＨ３、ＣＨ４…」を表示する。
【００７８】
つづいて、図７の（Ｂ）に示すように点線の三角形で囲まれた部分がＣＨ１の放送局から送信される信号の受信可能エリアであるという条件は、図７の（Ａ）と同様である。ここで、ＣＨ１が選局されているデジタル放送受信装置１０を搭載した車両２が受信可能エリア内の地点γを走行中の場合、図７の（Ａ）と同様に、表ＣＨ表示部１５ｃは、ディスプレイ１３へＣＨ１の映像を表示する。
【００７９】
ところが、車両２が受信可能エリアではあるがトンネル内の地点σを走行中の場合には、いずれの信号も受信することができないので、タイミング判定部１５ｄは、すべてのチャンネルの受信状態が悪化したと判定することとなる。
【００８０】
したがって、デジタル放送受信装置１０では、チャンネルリスト１４ａに含まれる裏ＣＨが受信可能か否かの再確認処理を行わないとともに、裏ＣＨのチャンネルリスト１４ａの表示を行わない。
【００８１】
このように、自車両がトンネル内を走行中であったり、デジタル放送受信装置１０の不備等によりすべてのチャンネルの受信が不可となった際には、裏ＣＨも受信不可であるので、デジタル放送受信装置１０は、無為な処理を行わないこととする。このような処理を実行するために、裏チャンネルを受信可能チャンネルとして抽出する処理が存在するのである。
【００８２】
つぎに、裏ＣＨのチャンネルリスト１４ａの表示手法の詳細について図８を用いて説明する。図８は、報知画面の一例を示す図である。
【００８３】
タイミング判定部１５ｄがチャンネルリスト１４ａを報知するタイミングであると判定した場合に、リスト報知部１５ｆは、受信可能であることを再確認したチャンネルリスト１４ａをディスプレイ１３へ表示する。
【００８４】
たとえば、図８に示したように、リスト報知部１５ｆは、テロップの様にディスプレイ１３へ表示されているＴＶ映像に重畳させてチャンネルリスト１４ａを表示させる。そして、デジタル放送受信装置１０は、ディスプレイ１３へ表示された受信可能な裏ＣＨのチャンネルリスト１４ａの中から、利用者の所望するチャンネルがタッチされたことを検知して、かかるチャンネルの選局操作を受け付けることとしてもよい。
【００８５】
また、ディスプレイ１３へチャンネルリスト１４ａを表示させることとしたが、チャンネルリスト１４ａを音声変換して、音声変換されたチャンネルリストをスピーカ１２へ出力することとしてもよい。
【００８６】
この場合、デジタル放送受信装置１０は、利用者の所望するチャンネルが音声出力された際に、図示しない操作部に備える「選局ボタン」や「ＯＫボタン」等が押下されたことを検知して、かかるチャンネルの選局操作を受け付ける。
【００８７】
また、デジタル放送受信装置１０にマイク機能を併設し、利用者の所望するチャンネルが音声出力された際に、利用者によって応答した「はい」等の音声を検知することで選局操作を受け付けることとしてもよい。
【００８８】
つぎに、制御部１５が行う裏ＣＨのチャンネルリスト１４ａの作成手法の詳細について図９を用いて説明する。図９は、チャンネルリスト１４ａの遷移を示す図である。
【００８９】
裏ＣＨ受信指示部１５ｂは、表ＣＨ以外のすべてのチャンネルについて定期的に裏ＣＨが受信可能であるか否かを確認するよう復調部１１へ指示する。なお、図９の（Ａ）には、表ＣＨをＣＨ１とした場合、受信可能か否かの確認対象となる裏ＣＨの一覧を示した。
【００９０】
裏ＣＨ受信指示部１５ｂは、図９の（Ａ）に示したすべての裏ＣＨについて順次受信可能であるか否かの確認処理を行い、確認処理が終了したならば、一覧に示した裏ＣＨの先頭から再度確認処理を繰り返す。
【００９１】
そして、裏ＣＨ受信指示部１５ｂは、受信可能であった裏ＣＨのチャンネル情報を受信し、図９の（Ｂ）に示したように、受信可能な裏ＣＨのチャンネルリスト１４ａを作成する。その後、タイミング判定部１５ｄが、チャンネルリスト１４ａを報知するタイミングであると判定した場合に、再確認部１５ｅでは、チャンネルリスト１４ａに含まれる裏ＣＨが受信可能か否かを再確認する。
【００９２】
なお、再確認部１５ｅによって再確認された受信可能である裏ＣＨの表示用のチャンネルリスト１４ａを、図９の（Ｃ）に示した。そして、リスト報知部１５ｆは、ディスプレイ１３へ表示用のチャンネルリスト１４ａを表示する。
【００９３】
つぎに、本実施例に係るデジタル放送受信装置１０が実行するデジタル放送受信処理手順の詳細について図１０〜図１２を用いて説明する。図１０は、復調部１１が実行する信号受信処理手順の概要を示すフローチャートであり、図１１は、制御部１５が実行する表ＣＨ受信処理手順の概要を示すフローチャートであり、図１２は、制御部１５が実行する裏ＣＨ受信処理手順の概要を示すフローチャートである。
【００９４】
まず、図１０では、復調部１１が、複数のアンテナによって受信される複数のデジタル放送の信号を合成して、一つのチャンネルとして制御部１５へ送信する処理について説明する。つづいて、図１１および図１２では、制御部１５が、表ＣＨおよび裏ＣＨを復調部１１から受信する処理について説明する。
【００９５】
図１０に示すように、ＲＦ／ＩＦ１１１ａ〜１１４ａに接続されるアンテナからデジタル放送の信号を受信し(ステップＳ１０１)、変換部１１１ｂ〜１１４ｂは、ＲＦ／ＩＦ１１１ａ〜１１４ａで受信した信号をＦＦＴによって最適な電気信号に変換する(ステップＳ１０２)。
【００９６】
そして、合成部１１１ｃは、記憶部１４に予め記憶される設定情報に従って、信号の合成を行い(ステップＳ１０３)、誤り訂正部１１１ｄ、１１３ｄは、ステップＳ１０３で合成された信号をＦＥＣ手法によって誤りを検出して訂正する(ステップＳ１０４)。
【００９７】
つづいて、誤り訂正部１１１ｄ、１１３ｄは、制御部１５から表ＣＨまたは裏ＣＨの受信要求の指示に対応する指示部（表ＣＨ受信指示部１５ａまたは裏ＣＨ受信指示部１５ｂ）へ信号を送信する(ステップＳ１０５)。そして、復調部１１では、上述したステップＳ１０１〜ステップＳ１０５までの処理を繰り返す。
【００９８】
つぎに、制御部１５が実行する表ＣＨ受信処理手順について図１１を用いて説明する。図１１に示すように、表ＣＨ受信指示部１５ａは、表ＣＨを受信するよう復調部１１へ指示する(ステップＳ２０１)。
【００９９】
そして、表ＣＨ受信指示部１５ａは、誤り訂正部１１１ｄから表ＣＨを受信するとともに(ステップＳ２０２)、選局操作によってチャンネルの変更があったか否かを判定する(ステップＳ２０３)。
【０１００】
ここで、表ＣＨ受信指示部１５ａは、選局操作によるチャンネルの変更があったと判定した場合(ステップＳ２０３，Ｙｅｓ)、表ＣＨの選局情報によって学習情報１４ｂを更新する(ステップＳ２０４)。一方、表ＣＨ受信指示部１５ａは、選局操作によるチャンネルの変更がないと判定した場合に(ステップＳ２０３，Ｎｏ)、ステップＳ２０５へ処理を移行する。
【０１０１】
つづいて、ステップＳ２０５では、表ＣＨ表示部１５ｃは、表ＣＨ受信指示部１５ａが受信した表ＣＨをスピーカ１２およびディスプレイ１３へ出力し、タイミング判定部１５ｄは、チャンネルリスト１４ａを報知するタイミングであるか否かを判定する(ステップＳ２０６)。
【０１０２】
再確認部１５ｅは、タイミング判定部１５ｄによってチャンネルリスト１４ａを報知するタイミングであると判定された場合(ステップＳ２０６，Ｙｅｓ)、チャンネルリスト１４ａに含まれる裏ＣＨが受信可能か否かを再確認する(ステップＳ２０７)。
【０１０３】
また、リスト報知部１５ｆは、学習情報１４ｂを取得し(ステップＳ２０８)、再確認部１５ｅによって再確認された受信可能である表示用のチャンネルリスト１４ａと学習情報１４ｂとに基づいてディスプレイ１３へ裏ＣＨのチャンネルリストを報知する(ステップＳ２０９)。そして、制御部１５では、上述したステップＳ２０１〜ステップＳ２０９までの処理を繰り返す。
【０１０４】
一方、ステップＳ２０６で、タイミング判定部１５ｄによってチャンネルリスト１４ａを報知するタイミングではないと判定された場合(ステップＳ２０６，Ｎｏ)、ステップＳ２０９の後へ処理を移行する。
【０１０５】
つぎに、制御部１５が実行する裏ＣＨ受信処理手順について図１２を用いて説明する。図１２に示すように、裏ＣＨ受信指示部１５ｂは、表ＣＨ以外のすべてのチャンネルのうち、所定の裏ＣＨのチャンネル情報を受信するよう復調部１１へ指示する(ステップＳ３０１)。
【０１０６】
裏ＣＨ受信指示部１５ｂは、裏ＣＨが受信可能であるか否かを判定し(ステップＳ３０２)、受信可能であると判定した場合(ステップＳ３０２，Ｙｅｓ)、かかる裏ＣＨのチャンネル情報を誤り訂正部１１３ｄから受信する(ステップＳ３０３)。
【０１０７】
そして、リスト作成部１５ｇは、かかる裏ＣＨがチャンネルリスト１４ａに未登録であるか否かを判定し(ステップＳ３０４)、未登録であった場合(ステップＳ３０４，Ｙｅｓ)、かかる裏ＣＨをチャンネルリスト１４ａへ登録する(ステップＳ３０５)。
【０１０８】
一方、ステップＳ３０２で裏ＣＨ受信指示部１５ｂは、裏ＣＨが受信可能でないと判定した場合(ステップＳ３０２，Ｎｏ)、かかる裏ＣＨをチャンネルリスト１４ａから削除して(ステップＳ３０６)、ステップＳ３０７へ処理を移行する。
【０１０９】
その後、ステップＳ３０７で裏ＣＨ受信指示部１５ｂは、裏ＣＨ受信処理の対象を次の裏ＣＨへ変更して、上述したステップＳ３０１〜ステップＳ３０７までの処理を繰り返す。このように、制御部１５では、表ＣＨ以外のすべてのチャンネルについて裏ＣＨ受信処理を定期的に繰り返す。
【０１１０】
このように、本発明に係るデジタル放送受信装置１０は、複数のアンテナによって受信された複数の信号を合成したデジタル放送のチャンネルを同時に複数受信することとした。具体的には、本発明に係るデジタル放送受信装置１０は、視聴用に表のチャンネルを受信し、また、受信可能なチャンネルの一覧を定期的に作成しておくために裏のチャンネル情報を受信する。
【０１１１】
そして、本発明に係るデジタル放送受信装置１０は、利用者がチャンネルの変更を所望するタイミングを検知して、かかるタイミングにチャンネルリスト１４ａのチャンネルが受信可能か否かを再度確認した後、受信可能であるチャンネルのチャンネルリスト１４ａを報知する。これにより、本発明に係るデジタル放送受信装置は、表チャンネルの視聴中であっても、リアルタイムに受信可能な裏のチャンネル情報を、利用者を煩わせることなく確実に取得することができる。
【産業上の利用可能性】
【０１１２】
以上のように、本発明に係る放送受信装置は、車両等の移動体に搭載される場合に有用であり、特に、表チャンネルの視聴中であっても、リアルタイムに受信可能な裏のチャンネル情報を、利用者を煩わせることなく確実に取得したい場合に適している。
【符号の説明】
【０１１３】
１０    デジタル放送受信装置
１１１ａ  ＲＦ／ＩＦ
１１２ａ  ＲＦ／ＩＦ
１１３ａ  ＲＦ／ＩＦ
１１４ａ  ＲＦ／ＩＦ
１１１ｂ  変換部
１１２ｂ  変換部
１１３ｂ  変換部
１１４ｂ  変換部
１１１ｃ  合成部
１１１ｄ  誤り訂正部
１１３ｄ  誤り訂正部
１２    スピーカ
１３    ディスプレイ
１４    記憶部
１４ａ  チャンネルリスト
１４ｂ  学習情報
１５    制御部
１５ａ  表ＣＨ受信指示部
１５ｂ  裏ＣＨ受信指示部
１５ｃ  表ＣＨ表示部
１５ｄ  タイミング判定部
１５ｅ  再確認部
１５ｆ  リスト報知部
１５ｇ  リスト作成部
【図１】
2012070184.tif 000003
【図２】
2012070184.tif 000004
【図３】
2012070184.tif 000005
【図４】
2012070184.tif 000006
【図５】
2012070184.tif 000007
【図６】
2012070184.tif 000008
【図７】
2012070184.tif 000009
【図８】
2012070184.tif 000010
【図９】
2012070184.tif 000011
【図１０】
2012070184.tif 000012
【図１１】
2012070184.tif 000013
【図１２】
2012070184.tif 000014